(57)【要約】【課題】メイン出力部以外の出力部の音声信号の信号レベルが所定値未満である場合にも、装置の消費電力を抑制可能とすること。【解決手段】制御部２３は、メイン出力部７の機能がオフ、Ｚｏｎｅ２出力部８の機能がオン、Ｚｏｎｅ３出力部９の機能がオフである場合に、メイン出力部用スイッチ１５により、Ｚｏｎｅ２出力部８と接続されているアナログ音声入力端子５とメイン出力部７とを接続し、ＤＳＰ１３が検出した音声信号の信号レベルが所定値未満である場合に、Ｚｏｎｅ２出力部８への電源電圧の供給を遮断する。【選択図】図２
2015065502.tif 000002
【特許請求の範囲】
【請求項１】
音声信号がそれぞれ入力される複数の音声入力端子と、
前記複数の音声入力端子から入力された音声信号が出力される第１出力部及び第２出力部と、
前記複数の音声入力端子から入力された音声信号を、どの出力部に出力するかの選択を受け付ける受付部と、
前記複数の音声入力端子のいずれかと前記第１出力部とを接続する第１接続部と、
前記複数の音声入力端子のいずれかと前記第２出力部とを接続する第２接続部と、
前記第１出力部に接続され、音声信号の信号レベルを検出する第１検出部と、
前記受付部が受け付けた選択に基づいて、前記第１接続部及び前記第２接続部を制御し、かつ、前記第１出力部及び前記第２出力部への電源電圧の供給を制御する制御部と、を備えた音声処理装置であって、
前記制御部は、前記第１出力部の機能がオフであり、かつ、前記第２出力部の機能がオンである場合に、前記第１接続部により、前記第２出力部と接続されている前記音声入力端子と前記第１出力部とを接続し、前記第１検出部が検出した音声信号の信号レベルが所定値未満である場合に、前記第２出力部への電源電圧の供給を遮断することを特徴とする音声処理装置。
【請求項２】
前記複数の音声入力端子から入力された音声信号が出力される第３出力部と、
前記複数の音声入力端子のいずれかと前記第３出力部とを接続する第３接続部と、をさらに備え、
前記制御部は、さらに、前記受付部が受け付けた選択に基づいて、前記第３接続部を制御し、かつ、前記第３出力部への電源電圧の供給を制御し、
前記制御部は、前記第１出力部の機能がオフであり、かつ、前記第２出力部及び前記第３出力部の機能がオンである場合に、前記第１接続部により、前記第２出力部に接続されている前記音声入力端子と前記第１出力部、及び、前記第３出力部に接続されている前記音声入力端子と前記第１出力部を切り替えて接続し、前記第１接続部が前記第２出力部に接続されている前記音声入力端子と前記第１出力部とを接続しており、かつ、前記第１検出部が検出した音声信号の信号レベルが所定値未満である場合に、前記第２出力部への電源電圧の供給を遮断し、前記第１接続部が前記第３出力部に接続されている前記音声入力端子と前記第１出力部とを接続しており、かつ、前記第１検出部が検出した音声信号の信号レベルが所定値未満である場合に、前記第３出力部への電源電圧の供給を遮断することを特徴とする請求項１に記載の音声処理装置。
【請求項３】
前記第１出力部、前記第２出力部、前記第３出力部に出力された音声信号の信号レベルの合計値を検出する第２検出部をさらに備え、
前記制御部は、前記第２検出部が検出した前記合計値が所定値未満であって、前記第１出力部の機能がオフであり、かつ、前記第２出力部及び前記第３出力部の機能がオンである場合に、前記第１接続部により、前記第２出力部に接続されている前記音声入力端子と前記第１出力部、及び、前記第３出力部に接続されている前記音声入力端子と前記第１出力部を切り替えて接続することを特徴とする請求項２に記載の音声処理装置。
【請求項４】
前記制御部は、さらに、前記第１出力部へ電源電圧が供給されていることを含む通常モードと、前記第１出力部及び前記第２出力部への電源電圧の供給が遮断されていることを含む、前記通常モードよりも低消費電力のスタンバイモードと、に自装置を制御し、
前記制御部は、前記第１出力部の機能がオフであり、かつ、前記第２出力部の機能がオンであって、前記第１検出部が検出した音声信号の信号レベルが所定値未満である場合に、自装置をスタンバイモードとすることを特徴とする請求項１に記載の音声処理装置。
【発明の詳細な説明】
【技術分野】
【０００１】
本発明は、音声入力端子から入力された音声信号を複数の出力部に出力する音声処理装置に関する。
【背景技術】
【０００２】
音声処理装置として、例えば、音声信号を増幅してスピーカーに出力するＡＶアンプが知られている。特許文献１に記載のＡＶアンプは、メインルーム（第１ルーム）に配置されるメインスピーカーへの音声信号の出力部であるメイン出力部と、Ｚｏｎｅ２ルーム（第２ルーム）に配置されるＺｏｎｅ２スピーカーへの音声信号の出力部であるＺｏｎｅ２出力部と、Ｚｏｎｅ３ルーム（第３ルーム）に配置されるＺｏｎｅ３スピーカーへの音声信号の出力部であるＺｏｎｅ３出力部と、複数の音声入力端子と、複数の音声入力端子から入力される音声信号の中から選択した音声信号をメイン出力部、Ｚｏｎｅ２出力部、Ｚｏｎｅ３出力部に出力するセレクタと、ＡＶアンプを構成する各部を制御するマイクロコンピュータ（以下、「マイコン」という。）と、等を備えている。複数の出力部は、それぞれ、音声信号の音量レベルを調整するボリュームコントローラ、音声信号を増幅する増幅部等から構成されている。
【０００３】
従来のＡＶアンプにおいては、通常の動作モード（通常モード）と、通常モードよりも消費電力が少ないスタンバイモードと、を有するものがある。このようなＡＶアンプでは、通常モードにおいて、マイコンは、メイン出力部に出力される音声信号の信号レベルを検出している。そして、マイコンは、Ｚｏｎｅ２出力部、及び、Ｚｏｎｅ３出力部の機能がオフであり、かつ、メイン出力部に出力される音声信号の信号レベルが所定値未満（例えばゼロ（無音））である場合に、通常モードからスタンバイモードにＡＶアンプを移行させるようになっている。これにより、メイン出力部の音声信号のレベルが所定値未満である場合に、ＡＶアンプの消費電力を抑制することができる。
【先行技術文献】
【特許文献】
【０００４】
【特許文献１】特開２０１３−０４６２６５号公報
【発明の概要】
【発明が解決しようとする課題】
【０００５】
上記従来のＡＶアンプにおいては、メイン出力部に出力される音声信号の信号レベルが所定値未満である場合に、スタンバイモードに移行して消費電力を抑制することが可能であるが、メイン出力部以外の出力部の音声信号のレベルが所定値未満である場合に、ＡＶアンプの消費電力を抑制することができないという問題がある。
【０００６】
本発明の目的は、メイン出力部以外の出力部の音声信号の信号レベルが所定値未満である場合にも、装置の消費電力を抑制可能とすることである。
【課題を解決するための手段】
【０００７】
第１の発明の音声処理装置は、音声信号がそれぞれ入力される複数の音声入力端子と、前記複数の音声入力端子から入力された音声信号が出力される第１出力部及び第２出力部と、前記複数の音声入力端子から入力された音声信号を、どの出力部に出力するかの選択を受け付ける受付部と、前記複数の音声入力端子のいずれかと前記第１出力部とを接続する第１接続部と、前記複数の音声入力端子のいずれかと前記第２出力部とを接続する第２接続部と、前記第１出力部に接続され、音声信号の信号レベルを検出する第１検出部と、前記受付部が受け付けた選択に基づいて、前記第１接続部及び前記第２接続部を制御し、かつ、前記第１出力部及び前記第２出力部への電源電圧の供給を制御する制御部と、を備えた音声処理装置であって、前記制御部は、前記第１出力部の機能がオフであり、かつ、前記第２出力部の機能がオンである場合に、前記第１接続部により、前記第２出力部と接続されている前記音声入力端子と前記第１出力部とを接続し、前記第１検出部が検出した音声信号の信号レベルが所定値未満である場合に、前記第２出力部への電源電圧の供給を遮断することを特徴とする。
【０００８】
本発明では、制御部は、第１出力部の機能がオフであり、かつ、第２出力部の機能がオンである場合に、第１接続部により、第２出力部と接続されている音声入力端子と第１出力部とを接続する。このとき、制御部は、第１検出部が検出した音声信号の信号レベルが所定値未満である場合に、第２出力部への電源電圧の供給を遮断する。これにより、メイン出力部である第１出力部以外の第２出力部の音声信号の信号レベルが所定値未満である場合にも、装置の消費電力を抑制することができる。
【０００９】
また、第１出力部に接続され、音声信号の信号レベルを検出する第１検出部を利用して、第２出力部に出力されている音声信号の信号レベルを検出しているため、新たに第２出力部に出力されている音声信号の信号レベルを検出するための手段を設ける必要がない。
【００１０】
第２の発明の音声処理装置は、第１の発明の音声処理装置において、前記複数の音声入力端子から入力された音声信号が出力される第３出力部と、前記複数の音声入力端子のいずれかと前記第３出力部とを接続する第３接続部と、をさらに備え、前記制御部は、さらに、前記受付部が受け付けた選択に基づいて、前記第３接続部を制御し、かつ、前記第３出力部への電源電圧の供給を制御し、前記制御部は、前記第１出力部の機能がオフであり、かつ、前記第２出力部及び前記第３出力部の機能がオンである場合に、前記第１接続部により、前記第２出力部に接続されている前記音声入力端子と前記第１出力部、及び、前記第３出力部に接続されている前記音声入力端子と前記第１出力部を切り替えて接続し、前記第１接続部が前記第２出力部に接続されている前記音声入力端子と前記第１出力部とを接続しており、かつ、前記第１検出部が検出した音声信号の信号レベルが所定値未満である場合に、前記第２出力部への電源電圧の供給を遮断し、前記第１接続部が前記第３出力部に接続されている前記音声入力端子と前記第１出力部とを接続しており、かつ、前記第１検出部が検出した音声信号の信号レベルが所定値未満である場合に、前記第３出力部への電源電圧の供給を遮断することを特徴とする。
【００１１】
本発明では、第１接続部が第３出力部に接続されている音声入力端子と第１出力部とを接続しており、かつ、第１検出部が検出した音声信号の信号レベルが所定値未満である場合に、制御部は、第３出力部への電源電圧の供給を遮断する。これにより、第２出力部に加えて、第３出力部の音声信号の信号レベルが所定値未満である場合にも、装置の消費電力を抑制することができる。
【００１２】
第３の発明の音声処理装置は、第２の発明の音声処理装置において、前記第１出力部、前記第２出力部、前記第３出力部に出力された音声信号の信号レベルの合計値を検出する第２検出部をさらに備え、前記制御部は、前記第２検出部が検出した前記合計値が所定値未満であって、前記第１出力部の機能がオフであり、かつ、前記第２出力部及び前記第３出力部の機能がオンである場合に、前記第１接続部により、前記第２出力部に接続されている前記音声入力端子と前記第１出力部、及び、前記第３出力部に接続されている前記音声入力端子と前記第１出力部を切り替えて接続することを特徴とする。
【００１３】
第１接続部が、第２出力部に接続されている音声入力端子と第１出力部、及び、第３出力部に接続されている音声入力端子と第１出力部を切り替えて接続する場合、切替タイミングの誤差によって、第２出力部と第３出力部の音声信号の信号レベルを誤って検出する可能性がある。本発明では、第１出力部、第２出力部、第３出力部に出力された音声信号の信号レベルの合計値が所定値未満である場合に限り、制御部は、検出した信号レベルが所定値未満であるか否かの判断を行うため、誤って検出した信号レベルに基づいて、信号レベルが所定値未満であるか否かを判断するという問題が発生することが抑制される。
【００１４】
第４の発明の音声処理装置は、第１の発明の音声処理装置において、前記制御部は、さらに、前記第１出力部へ電源電圧が供給されていることを含む通常モードと、前記第１出力部及び前記第２出力部への電源電圧の供給が遮断されていることを含む、前記通常モードよりも低消費電力のスタンバイモードと、に自装置を制御し、前記制御部は、前記第１出力部の機能がオフであり、かつ、前記第２出力部の機能がオンであって、前記第１検出部が検出した音声信号の信号レベルが所定値未満である場合に、自装置をスタンバイモードとすることを特徴とする。
【００１５】
本発明では、制御部は、メイン出力部である第１出力部以外の第２出力部の音声信号の信号レベルが所定値未満である場合に、自装置をスタンバイモードに移行するため、出力部への電源電圧の供給のみを遮断する場合と比べて、さらに装置の消費電力を抑制することができる。
【発明の効果】
【００１６】
本発明では、制御部は、第１出力部の機能がオフであり、かつ、第２出力部の機能がオンである場合に、第１接続部により、第２出力部と接続されている音声入力端子と第１出力部とを接続する。このとき、制御部は、第１検出部が検出した音声信号の信号レベルが所定値未満である場合に、第２出力部への電源電圧の供給を遮断する。これにより、メイン出力部である第１出力部以外の第２出力部の音声信号の信号レベルが所定値未満である場合にも、装置の消費電力を抑制することができる。
【図面の簡単な説明】
【００１７】
【図１】本発明の実施形態に係るＡＶアンプの構成を示すブロック図である。
【図２】セレクタの内部構成等を示すブロック図である。
【図３】セレクタの動作の一例を示す図である。
【図４】セレクタの動作の一例を示す図である。
【図５】通常モードからスタンバイモードに移行する場合のＡＶアンプの処理動作を示すフローチャートである。
【図６】メイン出力部、Ｚｏｎｅ２出力部、Ｚｏｎｅ３出力部の機能をオフにする場合のＡＶアンプの処理動作を示すフローチャートである。
【図７】メイン出力部、Ｚｏｎｅ２出力部、Ｚｏｎｅ３出力部の機能をオフにする場合のＡＶアンプの処理動作を示すフローチャートである。
【図８】メイン出力部、Ｚｏｎｅ２出力部、Ｚｏｎｅ３出力部の機能をオフにする場合のＡＶアンプの処理動作を示すフローチャートである。
【図９】メイン出力部、Ｚｏｎｅ２出力部、Ｚｏｎｅ３出力部の機能をオフにする場合のＡＶアンプの処理動作を示すフローチャートである。
【発明を実施するための形態】
【００１８】
以下、本発明の実施形態について説明する。図１は、本実施形態に係るＡＶアンプ１（音声処理装置）の構成を示すブロック図である。ＡＶアンプ１は、例えば、コンテンツ再生装置であるＤＶＤプレーヤー１００ａ、ＣＤプレーヤー１００ｂ、ＴＶ受信機１００ｃ、ＢＤ（ブルーレイディスク）プレーヤー１００ｄと接続されている。また、ＡＶアンプ１は、メインスピーカー２００ａ、Ｚｏｎｅ２スピーカー２００ｂ、Ｚｏｎｅ３スピーカー２００ｃと接続されている。ＡＶアンプ１、ＤＶＤプレーヤー１００ａ、ＣＤプレーヤー１００ｂ、ＴＶ受信機１００ｃ、ＢＤプレーヤー１００ｄは、メインルームに配置されている。Ｚｏｎｅ２スピーカー２００ｂは、メインルームとは別の部屋であるＺｏｎｅ２ルームに配置されている。Ｚｏｎｅ３スピーカー２００ｃは、メインルームとは別の部屋であるＺｏｎｅ３ルームに配置されている。ＡＶアンプ１は、メインルームに配置されたＤＶＤプレーヤー１００ａ等から入力された音声信号を増幅し、増幅した音声信号をメインルームに配置されたメインスピーカー２００ａの他、Ｚｏｎｅ２ルームに配置されたＺｏｎｅ２スピーカー２００ｂ、Ｚｏｎｅ３ルームに配置されたＺｏｎｅ３スピーカー２００ｃに出力する機能を有する。
【００１９】
メインスピーカー２００ａは、例えば、５．１チャンネル（前方左音声信号ＦＬ、前方右音声信号ＦＲ、中央音声信号Ｃ、サラウンド左音声信号ＳＬ、サラウンド右音声信号ＳＲ、サブウーファ音声信号ＳＷ）分または７．１チャンネル分のスピーカーを含む。Ｚｏｎｅ２スピーカー２００ｂ、Ｚｏｎｅ３スピーカー２００ｃは、それぞれ、例えば、２チャンネル（前方左音声信号ＦＬ、前方右音声信号ＦＲ）分のスピーカーを含む。
【００２０】
以下、ＡＶアンプ１について詳述する。なお、ＡＶアンプ１は、音声信号の他、入力された映像信号を図示しないディスプレイに出力することが可能であるが、説明の簡単のため、入力された音声信号をスピーカー２００に出力する構成のみについて説明する。図１に示すように、ＡＶアンプ１は、マイクロコンピュータ２、表示部３、操作部４、アナログ音声入力端子５（５ａ〜５ｃ）、デジタル音声入力端子６、メイン出力部７、Ｚｏｎｅ２出力部８、Ｚｏｎｅ３出力部９、アナログ音声出力端子１０（１０ａ〜１０ｃ）、セレクタ１１、Ａ／Ｄコンバータ１２、ＤＳＰ１３、Ｄ／Ａコンバータ１４等を備えている。
【００２１】
マイクロコンピュータ２（以下、「マイコン」という。）は、ＣＰＵ（Central Processing Unit）、ＲＯＭ（Read Only Memory）、ＲＡＭ（Random Access Memory）、入出力インターフェース等のハードウェアから構成されている。ＣＰＵは、ＲＯＭに格納されたプログラムに従って、マイコン２を構成するハードウェアを制御部２３等（図２参照）の各機能部として機能するように制御している。なお、各機能部における演算処理に特化した電子回路等により制御部２３等の各機能部が構成されていてもよいし、その他の構成であってもよい。マイコン２の詳細については後述する。
【００２２】
表示部３は、設定画面、音量レベルなどを表示するものであり、ＬＣＤ（液晶ディスプレイ）や蛍光表示管等である。操作部４は、ユーザ操作を受け付けるためのものであり、ＡＶアンプ１の筐体に設けられた操作ボタンやリモートコントローラである。ユーザは、操作部４を操作することにより、ＤＶＤプレーヤー１００ａ、ＣＤプレーヤー１００ｂ、テレビ受信機１００ｃ、ＢＤプレーヤー１００ｄから入力される音声信号を、メインスピーカー２００ａ、Ｚｏｎｅ２スピーカー２００ｂ、Ｚｏｎｅ３スピーカー２００ｃのいずれに出力するかをＡＶアンプ１に指示することが可能である。
【００２３】
アナログ音声入力端子５ａ〜５ｃには、それぞれ、ＤＶＤプレーヤー１００ａ、ＣＤプレーヤー１００ｂ、ＴＶ受信機１００ｃが接続されており、接続されているコンテンツ再生装置が出力するアナログ音声信号が入力される。デジタル音声入力端子６には、ＢＤプレーヤー１００ｄが接続されており、ＢＤプレーヤー１００ｄが出力するデジタル音声信号が入力される。なお、ＡＶアンプ１が備えるアナログ音声入力端子５、デジタル音声入力端子６の数は、本実施形態で例示する数に限られない。
【００２４】
メイン出力部７（第１出力部）、Ｚｏｎｅ２出力部８（第２出力部）、Ｚｏｎｅ３出力部９（第３出力部）には、アナログ音声入力端子５から出力されるアナログ音声信号、デジタル音声入力端子６から入力され、Ｄ／Ａ変換されたアナログ音声信号が出力される。メイン出力部７は、アナログ音声信号の信号レベルを調整するボリュームコントローラ７１と、アナログ音声信号を増幅する増幅部７２と、から構成される。同様に、Ｚｏｎｅ２出力部８は、ボリュームコントローラ８１と、増幅部８２と、から構成され、Ｚｏｎｅ３出力部９は、ボリュームコントローラ９１と、増幅部９２と、から構成される。メイン出力部７には、アナログ音声出力端子１０ａが接続されており、アナログ音声出力端子１０ａを介して、メイン出力部７により増幅等されたアナログ音声信号がメインスピーカー２００ａに出力される。Ｚｏｎｅ２出力部８には、アナログ音声出力端子１０ｂが接続されており、アナログ音声出力端子１０ｂを介して、Ｚｏｎｅ２出力部８により増幅等されたアナログ音声信号がＺｏｎｅ２スピーカー２００ｂに出力される。Ｚｏｎｅ３出力部９には、アナログ音声出力端子１０ｃが接続されており、アナログ音声出力端子１０ｃを介して、Ｚｏｎｅ３出力部９により増幅等されたアナログ音声信号がＺｏｎｅ３スピーカー２００ｃに出力される。
【００２５】
セレクタ１１は、後述するマイコン２の制御部２３からの指示に従って、アナログ音声入力端子５ａ〜５ｃ（ＤＶＤプレーヤー１００ａ、ＣＤプレーヤー１００ｂ、ＴＶ受信機１００ｃ）、デジタル音声入力端子６（ＢＤプレーヤー）と、メイン出力部７、Ｚｏｎｅ２出力部８、Ｚｏｎｅ３出力部９と、を接続する。図２は、セレクタ１１の内部構成等を示すブロック図である。セレクタ１１は、メイン出力部用スイッチ１５（１５ａ、１５ｂ、１５ｃ）（第１接続部）、Ｚｏｎｅ２出力部用スイッチ１６（１６ａ、１６ｂ、１６ｃ）（第２接続部）、Ｚｏｎｅ３出力部用スイッチ１７（１７ａ、１７ｂ、１７ｃ）（第３接続部）を備えている。なお、ここでは、デジタル音声入力端子６とメイン出力部７、Ｚｏｎｅ２出力部８、Ｚｏｎｅ３出力部９との接続についての説明は省略する。
【００２６】
メイン出力部用スイッチ１５は、アナログ音声入力端子５のいずれかとメイン出力部７とを接続する。例えば、制御部２３からの指示に従って、アナログ音声入力端子５ａとメイン出力部７とを接続する場合、メイン出力部用スイッチ１５ａがオンとなり、他のメイン出力部用スイッチ１５ｂ、１５ｃがオフとなる。Ｚｏｎｅ２出力部用スイッチ１６は、アナログ音声入力端子５のいずれかとＺｏｎｅ２出力部８とを接続する。例えば、制御部２３からの指示に従って、アナログ音声入力端子５ｂとＺｏｎｅ２出力部８とを接続する場合、Ｚｏｎｅ２出力部用スイッチ１６ｂがオンとなり、他のＺｏｎｅ２出力部用スイッチ１６ａ、１６ｃがオフとなる。Ｚｏｎｅ３出力部用スイッチ１７は、アナログ音声入力端子５のいずれかとＺｏｎｅ３出力部９とを接続する。例えば、制御部２３からの指示に従って、アナログ音声入力端子５ｃとＺｏｎｅ３出力部９とを接続する場合、Ｚｏｎｅ３出力部用スイッチ１７ｃがオンとなり、他のＺｏｎｅ３出力部用スイッチ１７ａ、１７ｂがオフとなる。
【００２７】
Ａ／Ｄコンバータ１２は、セレクタ１１を介して、すなわち、セレクタ１１のメイン出力部７への信号線に接続されることにより、メイン出力部７に接続されており、メイン出力部７に出力されるアナログ音声信号をデジタル音声信号にＡ／Ｄ変換する。そして、Ａ／Ｄコンバータ１２は、Ａ／Ｄ変換したデジタル音声信号をＤＳＰ１３に出力する。なお、Ａ／Ｄコンバータ１２は、セレクタ１１を介さず、メイン出力部７に接続されていてもよい。ＤＳＰ（Digital Signal Processor）１３（第１検出部）は、Ａ／Ｄコンバータ１２を介して、メイン出力部７に接続されており、Ａ／Ｄコンバータ１２が出力したデジタル音声信号の信号レベルを検出する。また、ＤＳＰ１３は、デジタル音声信号入力端子６から入力されるデジタル音声信号に対して音場処理等を実行する。Ｄ／Ａコンバータ１４は、ＤＳＰ１３により音場処理等が実行されたデジタル音声信号をアナログ音声信号にＤ／Ａ変換する。
【００２８】
次に、マイコン２について説明する。図２に示すように、マイコン２は、受付部２１、検出部２２（第２検出部）、制御部２３として機能する。受付部２１は、ユーザによる操作部４の操作に基づいて、アナログ音声入力端子５から入力されたアナログ音声信号を、どの出力部７〜９に出力するかの選択を受け付ける。また、受付部２１は、ユーザによる操作部４の操作に基づいて、どの出力部７〜９の機能をオン又はオフにするかの選択を受け付ける。本実施形態では、「出力部の機能がオンである」とは、出力部の機能を使用する設定であることをいう。反対に、「出力部の機能がオフである」とは、出力部の機能を使用しない設定であることをいう。
【００２９】
検出部２２は、メイン出力部７、Ｚｏｎｅ２出力部８、Ｚｏｎｅ３出力部９に出力されたアナログ音声信号の信号レベルの合計値を検出する。ここで、メイン出力部７、Ｚｏｎｅ２出力部８、Ｚｏｎｅ３出力部９に出力されたアナログ音声信号の信号レベルが足し合わされて、マイコン２のＡ／Ｄポートに供給される。検出部２２は、Ａ／Ｄポートに供給されるアナログ音声信号をＡ／Ｄ変換し、その信号レベルを検出する。
【００３０】
制御部２３は、受付部２１が受け付けた選択に基づいて、メイン出力部用スイッチ１５、Ｚｏｎｅ２出力部用スイッチ１６、Ｚｏｎｅ３出力部用スイッチ１７を制御する。例えば、受付部２１がアナログ音声入力端子５ａ（ＤＶＤプレーヤー１００ａ）から入力されたアナログ音声信号を、メイン出力部７に出力する選択を受け付けた場合、制御部２３は、メイン出力部用スイッチ１５ａによりアナログ音声入力端子５ａとメイン出力部７とを接続する。また、制御部２３は、受付部２１が受け付けた選択に基づいて、メイン出力部７、Ｚｏｎｅ２出力部８、Ｚｏｎｅ３出力部９の機能をオン又はオフに制御する。具体的には、制御部２３は、メイン出力部７、Ｚｏｎｅ２出力部８、Ｚｏｎｅ３出力部９の機能をオンとするかオフとするかの設定を記憶しており、受付部２１が受け付けた選択に基づいて、各出力部７〜９の設定をオンからオフに、又は、オフからオンに書き換える。例えば、受付部２１がＺｏｎｅ２出力部８の機能をオフからオンにする選択を受け付けた場合、制御部２３は、Ｚｏｎｅ２出力部８の設定をオフからオンに書き換える。また、例えば、受付部２１がＺｏｎｅ２出力部８の機能をオンからオフにする選択を受け付けた場合、Ｚｏｎｅ２出力部８の設定をオンからオフに書き換える。
【００３１】
ここで、本実施形態では、メイン出力部７、Ｚｏｎｅ２出力部８、Ｚｏｎｅ３出力部９に電源電圧を供給する回路が共通化されている。例えば、電源電圧を供給する回路が、マイコン２とその周辺回路に電源電圧を供給する回路と、その他の各部に電源電圧を供給する回路と、の２つであり、ＡＶアンプ１が、マイコン２とその周辺回路に電源電圧を供給するスタンバイモードと、ＡＶアンプ１を構成する各部に電源電圧を供給する通常モードと、を有している構成である。通常モードでは、メイン出力部７、Ｚｏｎｅ２出力部８、Ｚｏｎｅ３出力部９全てに電源電圧が供給されている。スタンバイモードでは、メイン出力部７、Ｚｏｎｅ２出力部８、Ｚｏｎｅ３出力部９全てに電源電圧が供給されていない。スタンバイモードは、通常モードよりも消費電力が小さい。制御部２３は、ＡＶアンプ１を通常モードとスタンバイモードとに制御する。
【００３２】
また、制御部２３は、メイン出力部７の機能がオンとなっているが、メイン出力部７にアナログ音声信号が出力されていない場合に、メイン出力部７の機能をオンからオフに制御する。上述のように、メイン出力部７には、Ａ／Ｄコンバータ１２、ＤＳＰ１３が接続されている。Ａ／Ｄコンバータ１２は、メイン出力部７に出力されたアナログ音声信号をＡ／Ｄ変換し、Ａ／Ｄ変換したデジタル音声信号をＤＳＰ１３に出力する。ＤＳＰ１３は、デジタル音声信号の信号レベルを検出し、制御部２３に出力する。制御部２３は、所定時間（例えば、６０秒間）を超えて、ＤＳＰ１３が出力したデジタル音声信号の信号レベルが所定値未満（例えば、ゼロ）である場合、メイン出力部７にアナログ音声信号が出力されていないと判断し、メイン出力部７の機能をオンからオフにする。
【００３３】
また、制御部２３は、検出部２２が検出した信号レベルの合計値が所定値以上である場合、メイン出力部７、Ｚｏｎｅ２出力部８、Ｚｏｎｅ３出力部９に供給する電源電圧を高電圧から低電圧に切り替える。これにより、増幅部７２、８２、９２からのアナログ音声信号の信号レベル（振幅値）が極端に大きくなり、増幅部７２、８２、９２が熱、過電圧又は過電流等の理由により破損することが防止される。
【００３４】
従来のＡＶアンプは、メイン出力部に接続されたＡ／Ｄコンバータ、ＤＳＰを用いて、メイン出力部の機能がオンであり、かつ、メイン出力部にアナログ音声信号が出力されていない場合に、メイン出力部への電源電圧の供給を遮断する機能を有する。しかしながら、従来のＡＶアンプは、Ｚｏｎｅ２出力部、Ｚｏｎｅ３出力部の機能がオンであり、かつ、Ｚｏｎｅ２出力部、Ｚｏｎｅ３出力部にアナログ音声信号が出力されていない場合に、Ｚｏｎｅ２出力部、Ｚｏｎｅ３出力部への電源電圧の供給を遮断する機能を有していない。そこで、本実施形態のＡＶアンプ１は、Ｚｏｎｅ２出力部８、Ｚｏｎｅ３出力部９への電源電圧の供給を遮断するための構成を備える。以下、その構成について説明する。
【００３５】
制御部２３は、メイン出力部７の機能がオフ、Ｚｏｎｅ２出力部８の機能がオン、Ｚｏｎｅ３出力部９の機能がオフである場合に、メイン出力部用スイッチ１５により、Ｚｏｎｅ２出力部８と接続されているアナログ音声入力端子５とメイン出力部７とを接続する。例えば、図３に示すように、Ｚｏｎｅ２出力部用スイッチ１６ａにより、アナログ音声入力端子５ａとＺｏｎｅ２出力部８とが接続されている場合、制御部２３は、メイン出力部用スイッチ１５ａをオンとし、メイン出力部用スイッチ１５ａにより、Ｚｏｎｅ２出力部８と接続されているアナログ音声入力端子５ａとメイン出力部７とを接続する。これにより、Ｚｏｎｅ２出力部８に出力されているアナログ音声信号がメイン出力部７に出力されるため、メイン出力部７に接続されたＡ／Ｄコンバータ１２にも、Ｚｏｎｅ２出力部８に入力されているアナログ音声信号が出力される。そして、Ａ／Ｄコンバータ１２は、アナログ音声信号をＡ／Ｄ変換し、Ａ／Ｄ変換したデジタル音声信号をＤＳＰ１３に出力する。ＤＳＰ１３は、デジタル音声信号の信号レベルを検出し、制御部２３に出力する。制御部２３は、所定時間（例えば、６０秒間）を超えて、ＤＳＰ１３が出力したデジタル音声信号の信号レベルが所定値未満（例えば、ゼロ）である場合、Ｚｏｎｅ２出力部８にアナログ音声信号が出力されていないと判断し、Ｚｏｎｅ２出力部８の機能をオンからオフにする。このとき、全ての出力部７〜９の機能がオフとなるため、制御部２３は、ＡＶアンプ１を通常モードからスタンバイモードに移行させる。
【００３６】
また、制御部２３は、メイン出力部７の機能がオフ、Ｚｏｎｅ２出力部８の機能がオフ、Ｚｏｎｅ３出力部９の機能がオンである場合に、メイン出力部用スイッチ１５により、Ｚｏｎｅ３出力部９と接続されているアナログ音声入力端子５とメイン出力部７とを接続する。例えば、Ｚｏｎｅ３出力部用スイッチ１７ｂにより、アナログ音声入力端子５ｂとＺｏｎｅ３出力部９とが接続されている場合、制御部２３は、メイン出力部用スイッチ１５ｂをオンとし、メイン出力部用スイッチ１５ｂにより、Ｚｏｎｅ３出力部９と接続されているアナログ音声入力端子５ｂとメイン出力部７とを接続する。そして、制御部２３は、上記と同様、Ｚｏｎｅ３出力部９にアナログ音声信号が出力されていないと判断すると、Ｚｏｎｅ３出力部９の機能をオンからオフにする。このとき、全ての出力部７〜９の機能がオフとなるため、制御部２３は、ＡＶアンプ１を通常モードからスタンバイモードに移行させる。
【００３７】
また、制御部２３は、メイン出力部７の機能がオフ、Ｚｏｎｅ２出力部８の機能がオン、Ｚｏｎｅ３出力部９の機能がオンである場合に、メイン出力部用スイッチ１５により、Ｚｏｎｅ２出力部８に接続されているアナログ音声入力端子５とメイン出力部７、及び、Ｚｏｎｅ３出力部９に接続されているアナログ音声入力端子５とメイン出力部７を切り替えて接続する。例えば、図４に示すように、Ｚｏｎｅ２出力部用スイッチ１６ｂにより、アナログ音声入力端子５ｂとＺｏｎｅ２出力部８とが接続され、Ｚｏｎｅ３出力部用スイッチ１７ｃにより、アナログ音声入力端子５ｃとＺｏｎｅ３出力部９とが接続されている場合、制御部２３は、まず、メイン出力部用スイッチ１５ｂにより、Ｚｏｎｅ２出力部８に接続されているアナログ音声入力端子５ｂとメイン出力部７とを接続する。次に、制御部２３は、上述のように、Ｚｏｎｅ２出力部８にアナログ音声信号が出力されているか否かを判断する。制御部２３は、Ｚｏｎｅ２出力部８にアナログ音声信号が出力されていないと判断し、Ｚｏｎｅ２出力部８の機能をオフにすると、次に、メイン出力部用スイッチ１５ｃにより、Ｚｏｎｅ３出力部９と接続されているアナログ音声入力端子５ｃとメイン出力部７とを接続する。そして、制御部２３は、上述のように、Ｚｏｎｅ３出力部９にアナログ音声信号が出力されているか否かを判断する。制御部２３は、上記と同様、Ｚｏｎｅ３出力部９にアナログ音声信号が出力されていないと判断すると、Ｚｏｎｅ３出力部９の機能をオンからオフにする。このとき、全ての出力部７〜９の機能がオフとなるため、制御部２３は、ＡＶアンプ１を通常モードからスタンバイモードに移行させる。
【００３８】
このように、制御部２３は、全ての出力部７〜９の機能がオフである場合に、ＡＶアンプ１を通常モードからスタンバイモードに移行させる。すなわち、制御部２３は、マイコン２とその周辺回路を除く、出力部７〜９を含むＡＶアンプ１を構成する各部への電源電圧の供給を遮断し、ＡＶアンプ１を通常モードからスタンバイモードとする。
【００３９】
次に、通常モードからスタンバイモードに移行する場合のＡＶアンプの処理動作を、図５に示すフローチャートに基づいて説明する。ここでは、全ての出力部７〜９の機能がオンである場合について説明する。まず、制御部２３は、検出部２２が検出している、メイン出力部７、Ｚｏｎｅ２出力部８、Ｚｏｎｅ３出力部９に出力されたアナログ音声信号の信号レベルの合計値が所定値未満であるか否かを判断する（Ｓ１）。制御部２３は、メイン出力部７、Ｚｏｎｅ２出力部８、Ｚｏｎｅ３出力部９に出力されたアナログ音声信号の信号レベルの合計値が所定値未満でない、すなわち、所定値以上であると判断した場合（Ｓ１：Ｎｏ）、Ｓ１の処理を繰り返し実行する。制御部２３は、メイン出力部７、Ｚｏｎｅ２出力部８、Ｚｏｎｅ３出力部９に出力されたアナログ音声信号の信号レベルの合計値が所定値未満であると判断した場合（Ｓ１：Ｙｅｓ）、メイン出力部７にアナログ音声信号が出力されているか否かを判断するため、ＤＳＰ１３が検出した信号レベルが所定値未満であるか否かを判断する（Ｓ２）。制御部２３は、ＤＳＰ１３が検出した信号レベルが所定値未満でない、すなわち、所定値以上であると判断した場合（Ｓ２：Ｎｏ）、Ｓ１の処理を実行する。
【００４０】
制御部２３は、ＤＳＰ１３が検出した信号レベルが所定値未満であると判断した場合（Ｓ２：Ｙｅｓ）、信号レベルが所定値未満である状態のまま、所定時間経過しているか否かを判断する（Ｓ３）。制御部２３は、信号レベルが所定値未満である状態のまま、所定時間経過していないと判断した場合（Ｓ３：Ｎｏ）、Ｓ２の処理を実行する。そして、制御部２３は、信号レベルが所定値未満である状態のまま、所定時間経過したと判断するまで（Ｓ３：Ｙｅｓ）、Ｓ２、Ｓ３の処理を繰り返し実行する。制御部２３は、信号レベルが所定値未満である状態のまま、所定時間経過したと判断した場合（Ｓ３：Ｙｅｓ）、メイン出力部７にアナログ音声信号が出力されていないと判断し、メイン出力部７の機能をオンからオフにする（Ｓ４）。
【００４１】
次に、制御部２３は、Ｚｏｎｅ２出力部８にアナログ音声信号が出力されているか否かを判断するため、メイン出力部用スイッチ１５により、Ｚｏｎｅ２出力部８と接続されているアナログ音声入力端子５とメイン出力部７とを接続する（Ｓ５）。次に、制御部２３は、ＤＳＰ１３が検出した信号レベルが所定値未満であるか否かを判断する（Ｓ６）。制御部２３は、ＤＳＰ１３が検出した信号レベルが所定値未満でない、すなわち、所定値以上であると判断した場合（Ｓ６：Ｎｏ）、Ｓ１の処理を実行する。
【００４２】
制御部２３は、ＤＳＰ１３が検出した信号レベルが所定値未満であると判断した場合（Ｓ６：Ｙｅｓ）、信号レベルが所定値未満である状態のまま、所定時間経過しているか否かを判断する（Ｓ７）。制御部２３は、信号レベルが所定値未満である状態のまま、所定時間経過していないと判断した場合（Ｓ７：Ｎｏ）、Ｓ６の処理を実行する。そして、制御部２３は、信号レベルが所定値未満である状態のまま、所定時間経過したと判断するまで（Ｓ７：Ｙｅｓ）、Ｓ６、Ｓ７の処理を繰り返し実行する。制御部２３は、信号レベルが所定値未満である状態のまま、所定時間経過したと判断した場合（Ｓ７：Ｙｅｓ）、Ｚｏｎｅ２出力部８にアナログ音声信号が出力されていないと判断し、Ｚｏｎｅ２出力部８の機能をオンからオフにする（Ｓ８）。
【００４３】
次に、制御部２３は、Ｚｏｎｅ３出力部９にアナログ音声信号が出力されているか否かを判断するため、メイン出力部用スイッチ１５により、Ｚｏｎｅ３出力部９と接続されているアナログ音声入力端子５とメイン出力部７とを接続する（Ｓ９）。次に、制御部２３は、ＤＳＰ１３が検出した信号レベルが所定値未満であるか否かを判断する（Ｓ１０）。制御部２３は、ＤＳＰ１３が検出した信号レベルが所定値未満でない、すなわち、所定値以上であると判断した場合（Ｓ１０：Ｎｏ）、Ｓ１の処理を実行する。
【００４４】
制御部２３は、ＤＳＰ１３が検出した信号レベルが所定値未満であると判断した場合（Ｓ１０：Ｙｅｓ）、信号レベルが所定値未満である状態のまま、所定時間経過しているか否かを判断する（Ｓ１１）。制御部２３は、信号レベルが所定値未満である状態のまま、所定時間経過していないと判断した場合（Ｓ１１：Ｎｏ）、Ｓ１０の処理を実行する。そして、制御部２３は、信号レベルが所定値未満である状態のまま、所定時間経過したと判断するまで（Ｓ１１：Ｙｅｓ）、Ｓ１０、Ｓ１１の処理を繰り返し実行する。制御部２３は、信号レベルが所定値未満である状態のまま、所定時間経過したと判断した場合（Ｓ１１：Ｙｅｓ）、Ｚｏｎｅ３出力部９にアナログ音声信号が出力されていないと判断し、Ｚｏｎｅ３出力部９の機能をオンからオフにする（Ｓ１２）。そして、制御部２３は、全ての出力部７〜９の機能がオフであるため、ＡＶアンプ１を通常モードからスタンバイモードに移行させる（Ｓ１３）。
【００４５】
以上説明したように、本実施形態では、制御部２３は、メイン出力部７の機能をオフにした後、メイン出力部用スイッチ１５により、Ｚｏｎｅ２出力部８と接続されているアナログ音声入力端子５とメイン出力部７とを接続する。このとき、制御部２３は、ＤＳＰ１３が検出した音声信号の信号レベルが所定値未満である場合に、Ｚｏｎｅ２出力部８の機能をオフにする。また、Ｚｏｎｅ２出力部８の機能をオフにした後、メイン出力部用スイッチ１５により、Ｚｏｎｅ３出力部９と接続されているアナログ音声入力端子５とメイン出力部７とを接続する。このとき、制御部２３は、ＤＳＰ１３が検出した音声信号の信号レベルが所定値未満である場合に、Ｚｏｎｅ３出力部９の機能をオフにする。そして、制御部２３は、全ての出力部７〜９の機能をオフにした後、すなわち、ＤＳＰ１３が検出した音声信号の信号レベルが所定値未満である場合に、Ｚｏｎｅ２出力部８を含む各部への電力供給を遮断する。これにより、メイン出力部７以外のＺｏｎｅ２出力部８の音声信号の信号レベルが所定値未満である場合にも、ＡＶアンプ１の消費電力を抑制することができる。
【００４６】
また、本実施形態では、メイン出力部７に接続され、音声信号の信号レベルを検出するＤＳＰ１３を利用して、Ｚｏｎｅ２出力部８、Ｚｏｎｅ３出力部９に出力されている音声信号の信号レベルを検出しているため、新たにＺｏｎｅ２出力部８、Ｚｏｎｅ３出力部９に出力されている音声信号の信号レベルを検出するための手段を設ける必要がない。
【００４７】
また、本実施形態では、メイン出力部用スイッチ１５が、Ｚｏｎｅ２出力部８に接続されているアナログ音声入力端子５とメイン出力部７、及び、Ｚｏｎｅ３出力部９に接続されているアナログ音声入力端子５とメイン出力部７を切り替えて接続する。このような場合、切替タイミングの誤差によって、Ｚｏｎｅ２出力部８とＺｏｎｅ３出力部９の音声信号の信号レベルを誤って検出する可能性がある。本実施形態では、メイン出力部７、Ｚｏｎｅ２出力部８、Ｚｏｎｅ３出力部９に出力された音声信号の信号レベルの合計値が所定値未満である場合に限り（Ｓ１：Ｙｅｓ）、制御部２３は、検出した信号レベルが所定値未満であるか否かを判断するため、誤って検出した信号レベルに基づいて、信号レベルが所定値未満であるか否かを判断するという問題が発生することが抑制される。
【００４８】
また、本実施形態では、制御部２３は、メイン出力部７以外のＺｏｎｅ２出力部８、Ｚｏｎｅ３出力部９の音声信号の信号レベルが所定値未満である場合に、ＡＶアンプ１をスタンバイモードに移行するため、例えば、出力部への電源電圧の供給のみを遮断する場合と比べて、さらにＡＶアンプ１の消費電力を抑制することができる。
【００４９】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００５０】
上述の実施形態においては、電源電圧を供給する回路が、マイコン２とその周辺回路に電源電圧を供給する回路と、その他の各部に電源電圧を供給する回路と、の２つであり、メイン出力部７、Ｚｏｎｅ２出力部８、Ｚｏｎｅ３出力部９に電源電圧を供給する回路が共通化されている。これに限らず、ＡＶアンプ１は、メイン出力部７、Ｚｏｎｅ２出力部８、Ｚｏｎｅ３出力部９に個別に電源電圧を供給可能となっていてもよい。また、上述の実施形態では、「出力部の機能がオンである」状態は、出力部の機能を使用する設定となっており、「出力部の機能がオフである」状態は、出力部の機能を使用しない設定となっている状態である。これに限らず、上記のように、メイン出力部７、Ｚｏｎｅ２出力部８、Ｚｏｎｅ３出力部９に個別に電源電圧を供給可能である場合、「出力部の機能がオンである」状態は、出力部へ電源電圧を供給し、増幅部、ボリュームコントローラが動作可能な状態であってもよい。また、「出力部の機能がオフである」状態は、出力部への電源電圧の供給を遮断し、増幅部、ボリュームコントローラが動作不能な状態であってもよい。
【００５１】
本変形例では、制御部２３は、メイン出力部７、Ｚｏｎｅ２出力部８、Ｚｏｎｅ３出力部９に電源電圧を供給し、又は、電源電圧の供給を遮断することにより、メイン出力部７、Ｚｏｎｅ２出力部８、Ｚｏｎｅ３出力部９の機能をオン又はオフに制御する。したがって、本変形例では、「出力部の機能のオン又はオフ」と、「出力部への電源電圧の供給又は電源電圧の供給の遮断」と、は同義である。以下、メイン出力部７、Ｚｏｎｅ２出力部８、Ｚｏｎｅ３出力部９の機能をオフにする場合のＡＶアンプ１の処理動作について、図６〜図９に示すフローチャートに基づいて説明する。まず、制御部２３は、検出部２２が検出している、メイン出力部７、Ｚｏｎｅ２出力部８、Ｚｏｎｅ３出力部９に出力されたアナログ音声信号の信号レベルの合計値が所定値未満であるか否かを判断する（Ｓ１０１）。制御部２３は、メイン出力部７、Ｚｏｎｅ２出力部８、Ｚｏｎｅ３出力部９に出力されたアナログ音声信号の信号レベルの合計値が所定値未満でない、すなわち、所定値以上であると判断した場合（Ｓ１０１：Ｎｏ）、Ｓ１０１の処理を繰り返し実行する。メイン出力部７、Ｚｏｎｅ２出力部８、Ｚｏｎｅ３出力部９に出力されたアナログ音声信号の信号レベルの合計値が所定値以上である場合は、メイン出力部７、Ｚｏｎｅ２出力部８、Ｚｏｎｅ３出力部９にアナログ音声信号が出力されているため、メイン出力部７、Ｚｏｎｅ２出力部８、Ｚｏｎｅ３出力部９の機能をオフにする処理を実行すると、誤って、アナログ音声信号が出力されているメイン出力部７、Ｚｏｎｅ２出力部８、Ｚｏｎｅ３出力部９の機能をオフにする可能性があるため、処理を行わない。
【００５２】
制御部２３は、メイン出力部７、Ｚｏｎｅ２出力部８、Ｚｏｎｅ３出力部９に出力されたアナログ音声信号の信号レベルの合計値が所定値未満であると判断した場合（Ｓ１０１：Ｙｅｓ）、メイン出力部７の機能がオンであるか否かを判断する（Ｓ１０２）。制御部２３は、メイン出力部７の機能がオンであると判断した場合（Ｓ１０２：Ｙｅｓ）、ＤＳＰ１３が検出した信号レベルが所定値未満であるか否かを判断する（Ｓ１０３）。制御部２３は、ＤＳＰ１３が検出した信号レベルが所定値未満でない、すなわち、所定値以上であると判断した場合（Ｓ１０３：Ｎｏ）、Ｓ１０１の処理を実行する。
【００５３】
制御部２３は、ＤＳＰ１３が検出した信号レベルが所定値未満であると判断した場合（Ｓ１０３：Ｙｅｓ）、信号レベルが所定値未満である状態のまま、所定時間経過しているか否かを判断する（Ｓ１０４）。制御部２３は、信号レベルが所定値未満である状態のまま、所定時間経過していないと判断した場合（Ｓ１０４：Ｎｏ）、Ｓ１０３の処理を実行する。そして、制御部２３は、信号レベルが所定値未満である状態のまま、所定時間経過したと判断するまで（Ｓ１０４：Ｙｅｓ）、Ｓ１０３、Ｓ１０４の処理を繰り返し実行する。制御部２３は、信号レベルが所定値未満である状態のまま、所定時間経過したと判断した場合（Ｓ１０４：Ｙｅｓ）、メイン出力部７にアナログ音声信号が出力されていないと判断し、メイン出力部７の機能をオフにする（Ｓ１０５）。
【００５４】
制御部２３は、メイン出力部７の機能がオンでない、すなわち、オフであると判断した場合（Ｓ１０２：Ｎｏ）、又は、Ｓ１０５の処理を実行した後、Ｚｏｎｅ２出力部８の機能がオンであるか否かを判断する（Ｓ１０６）。制御部２３は、Ｚｏｎｅ２出力部８の機能がオンでない、すなわち、オフであると判断した場合（Ｓ１０６：Ｎｏ）、Ｚｏｎｅ３出力部９の機能がオンであるか否かを判断する（Ｓ１０７）。制御部２３は、Ｚｏｎｅ３出力部９の機能がオンでない、すなわち、オフであると判断した場合（Ｓ１０７：Ｎｏ）、メイン出力部７、Ｚｏｎｅ２出力部８、Ｚｏｎｅ３出力部９の機能が全てオフであるため、処理を終了する。
【００５５】
制御部２３は、Ｚｏｎｅ３出力部９の機能がオンであると判断した場合（Ｓ１０７：Ｙｅｓ）、Ｚｏｎｅ３出力部９のみの機能がオンであるため、メイン出力部用スイッチ１５により、Ｚｏｎｅ３出力部９と接続されているアナログ音声入力端子５とメイン出力部７とを接続する（Ｓ１０８）。次に、制御部２３は、ＤＳＰ１３が検出した信号レベルが所定値未満であるか否かを判断する（Ｓ１０９）。制御部２３は、ＤＳＰ１３が検出した信号レベルが所定値未満でない、すなわち、所定値以上であると判断した場合（Ｓ１０９：Ｎｏ）、Ｓ１０１の処理を実行する。制御部２３は、ＤＳＰ１３が検出した信号レベルが所定値未満であると判断した場合（Ｓ１０９：Ｙｅｓ）、信号レベルが所定値未満である状態のまま、所定時間経過しているか否かを判断する（Ｓ１１０）。制御部２３は、信号レベルが所定値未満である状態のまま、所定時間経過していないと判断した場合（Ｓ１１０：Ｎｏ）、Ｓ１０９の処理を実行する。そして、制御部２３は、信号レベルが所定値未満である状態のまま、所定時間経過したと判断するまで（Ｓ１１０：Ｙｅｓ）、Ｓ１０９、Ｓ１１０の処理を繰り返し実行する。制御部２３は、信号レベルが所定値未満である状態のまま、所定時間経過したと判断した場合（Ｓ１１０：Ｙｅｓ）、Ｚｏｎｅ３出力部９にアナログ音声信号が出力されていないと判断し、Ｚｏｎｅ３出力部９の機能をオフにし（Ｓ１１１）、処理を終了する。
【００５６】
制御部２３は、Ｚｏｎｅ２出力部８の機能がオンであると判断した場合（Ｓ１０６：Ｙｅｓ）、Ｚｏｎｅ３出力部９の機能がオンであるか否かを判断する（Ｓ１１２）。制御部２３は、Ｚｏｎｅ３出力部９の機能がオンでない、すなわち、オフであると判断した場合（Ｓ１１２：Ｎｏ）、Ｚｏｎｅ２出力部８のみの機能がオンであるため、メイン出力部用スイッチ１５により、Ｚｏｎｅ２出力部８と接続されているアナログ音声入力端子５とメイン出力部７とを接続する（Ｓ１１３）。次に、制御部２３は、ＤＳＰ１３が検出した信号レベルが所定値未満であるか否かを判断する（Ｓ１１４）。制御部２３は、ＤＳＰ１３が検出した信号レベルが所定値未満でない、すなわち、所定値以上であると判断した場合（Ｓ１１４：Ｎｏ）、Ｓ１０１の処理を実行する。制御部２３は、ＤＳＰ１３が検出した信号レベルが所定値未満であると判断した場合（Ｓ１１４：Ｙｅｓ）、信号レベルが所定値未満である状態のまま、所定時間経過しているか否かを判断する（Ｓ１１５）。制御部２３は、信号レベルが所定値未満である状態のまま、所定時間経過していないと判断した場合（Ｓ１１５：Ｎｏ）、Ｓ１１４の処理を実行する。そして、制御部２３は、信号レベルが所定値未満である状態のまま、所定時間経過したと判断するまで（Ｓ１１５：Ｙｅｓ）、Ｓ１１４、Ｓ１１５の処理を繰り返し実行する。制御部２３は、信号レベルが所定値未満である状態のまま、所定時間経過したと判断した場合（Ｓ１１５：Ｙｅｓ）、Ｚｏｎｅ２出力部８にアナログ音声信号が出力されていないと判断し、Ｚｏｎｅ２出力部８の機能をオフにし（Ｓ１１６）、処理を終了する。
【００５７】
制御部２３は、Ｚｏｎｅ３出力部９の機能がオンであると判断した場合（Ｓ１１２：Ｙｅｓ）、Ｚｏｎｅ２出力部８、Ｚｏｎｅ３出力部９両方の機能がオンであるため、まず、メイン出力部用スイッチ１５により、Ｚｏｎｅ２出力部８と接続されているアナログ音声入力端子５とメイン出力部７とを接続する（Ｓ１１７）。次に、制御部２３は、ＤＳＰ１３が検出した信号レベルが所定値未満であるか否かを判断する（Ｓ１１８）。制御部２３は、ＤＳＰ１３が検出した信号レベルが所定値未満であると判断した場合（Ｓ１１８：Ｙｅｓ）、信号レベルが所定値未満である状態のまま、所定時間経過しているか否かを判断する（Ｓ１１９）。制御部２３は、信号レベルが所定値未満である状態のまま、所定時間経過していないと判断した場合（Ｓ１１９：Ｎｏ）、Ｓ１１８の処理を実行する。そして、制御部２３は、信号レベルが所定値未満である状態のまま、所定時間経過したと判断するまで（Ｓ１１９：Ｙｅｓ）、Ｓ１１８、Ｓ１１９の処理を繰り返し実行する。制御部２３は、信号レベルが所定値未満である状態のまま、所定時間経過したと判断した場合（Ｓ１１９：Ｙｅｓ）、Ｚｏｎｅ２出力部８にアナログ音声信号が出力されていないと判断し、Ｚｏｎｅ２出力部８の機能をオフにする（Ｓ１２０）。
【００５８】
制御部２３は、ＤＳＰ１３が検出した信号レベルが所定値未満でない、すなわち、所定値以上であると判断した場合（Ｓ１１８：Ｎｏ）、又は、Ｓ１２０の処理を実行した後、メイン出力部用スイッチ１５により、Ｚｏｎｅ３出力部９と接続されているアナログ音声入力端子５とメイン出力部７とを接続する（Ｓ１２１）。次に、制御部２３は、ＤＳＰ１３が検出した信号レベルが所定値未満であるか否かを判断する（Ｓ１２２）。制御部２３は、ＤＳＰ１３が検出した信号レベルが所定値未満でない、すなわち、所定値以上であると判断した場合（Ｓ１２２：Ｎｏ）、Ｓ１０１の処理を実行する。制御部２３は、ＤＳＰ１３が検出した信号レベルが所定値未満であると判断した場合（Ｓ１２２：Ｙｅｓ）、信号レベルが所定値未満である状態のまま、所定時間経過しているか否かを判断する（Ｓ１２３）。制御部２３は、信号レベルが所定値未満である状態のまま、所定時間経過していないと判断した場合（Ｓ１２３：Ｎｏ）、Ｓ１２２の処理を実行する。そして、制御部２３は、信号レベルが所定値未満である状態のまま、所定時間経過したと判断するまで（Ｓ１２３：Ｙｅｓ）、Ｓ１２２、Ｓ１２３の処理を繰り返し実行する。制御部２３は、信号レベルが所定値未満である状態のまま、所定時間経過したと判断した場合（Ｓ１２３：Ｙｅｓ）、Ｚｏｎｅ３出力部９にアナログ音声信号が出力されていないと判断し、Ｚｏｎｅ３出力部９の機能をオフにし（Ｓ１２４）、処理を終了する。
【００５９】
以上説明したように、本変形例では、制御部２３は、メイン出力部７の機能がオフ、Ｚｏｎｅ２出力部８の機能がオン、Ｚｏｎｅ３出力部９の機能がオフである場合に、メイン出力部用スイッチ１５により、Ｚｏｎｅ２出力部８と接続されているアナログ音声入力端子５とメイン出力部７とを接続する。このとき、制御部２３は、ＤＳＰ１３が検出した音声信号の信号レベルが所定値未満である場合に、Ｚｏｎｅ２出力部８の機能をオフに（Ｚｏｎｅ２出力部８への電源電圧の供給を遮断）する。これにより、メイン出力部７以外のＺｏｎｅ２出力部８の音声信号の信号レベルが所定値未満である場合にも、ＡＶアンプ１の消費電力を抑制することができる。メイン出力部７の機能がオフ、Ｚｏｎｅ２出力部８の機能がオフ、Ｚｏｎｅ３出力部９の機能がオンである場合も、同様に、Ｚｏｎｅ３出力部９の機能をオフと（Ｚｏｎｅ３出力部９への電源電圧の供給を遮断）することで、ＡＶアンプ１の消費電力を抑制することができる。
【００６０】
また、本変形例では、メイン出力部用スイッチ１５が、Ｚｏｎｅ２出力部８に接続されているアナログ音声入力端子５とメイン出力部７、及び、Ｚｏｎｅ３出力部９に接続されているアナログ音声入力端子５とメイン出力部７を切り替えて接続する。このような場合、切替タイミングの誤差によって、Ｚｏｎｅ２出力部８とＺｏｎｅ３出力部９の音声信号の信号レベルを誤って検出し、信号レベルが所定値以上である出力部の機能をオフに（電源電圧の供給を遮断）する可能性がある。本実施形態では、メイン出力部７、Ｚｏｎｅ２出力部８、Ｚｏｎｅ３出力部９に出力された音声信号の信号レベルの合計値が所定値未満である場合に限り（Ｓ１：Ｙｅｓ）、制御部２３は、Ｚｏｎｅ２出力部８、Ｚｏｎｅ３出力部９の機能をオフにするため、信号レベルが所定値以上である出力部の機能がオフとなるという問題が発生することが抑制される。
【００６１】
上述の実施形態においては、ＡＶアンプ１は、メイン出力部７、Ｚｏｎｅ２出力部８、Ｚｏｎｅ３出力部９を備えているが、出力部の数は、３つに限られず、４つ以上であってもよい。出力部が４つ以上であっても、メイン出力部７の機能がオフであり、他の出力部の機能がオンである場合、制御部２３は、メイン出力部用スイッチ１５により、他の出力部と接続されているアナログ音声入力端子５とメイン出力部７とを切り替えて接続し、他の出力部にアナログ音声信号が入力されているか否かを判断するようにすればよい。
【００６２】
上述の実施形態においては、メイン出力部７は、ボリュームコントローラ７１と増幅部７２とから構成されている。これに限らず、アナログ音声信号をアナログ音声出力端子１０ａに出力するための他の機器が含まれていてもよい。Ｚｏｎｅ２出力部８、Ｚｏｎｅ３出力部９も同様である。
【００６３】
上述の実施形態においては、メイン出力部７の機能がオンであり、メイン出力部７にアナログ音声信号が出力されていないと判断した場合、メイン出力部７の機能をオフとする。これに加え、メイン出力部用スイッチ１５の機能もオフとするようにしてもよい。Ｚｏｎｅ２出力部用スイッチ１６、Ｚｏｎｅ３出力部用スイッチ１７についても同様である。
【００６４】
上述の実施形態においては、セレクタ１１とメイン出力部７のボリュームコントローラ７１とが別回路となっている。これに限らず、セレクタ１１とメイン出力部７のボリュームコントローラ７１とが一体の回路となっていてもよい。
【００６５】
上述の実施形態においては、ＡＶアンプ１に接続されるコンテンツ再生装置として、ＤＶＤプレーヤー１００ａ等を例示した。これに限らず、ラジオ受信機、レコードプレーヤー等であってもよい。
【００６６】
上述の実施形態においては、出力部として、アナログ音声出力端子１０に接続された出力部７〜９について説明した。これに限らず、出力される信号レベルが固定であるラインアウト出力端子に接続される出力部、出力される信号レベルがボリュームコントローラで可変であるプリアウト出力端子に接続される出力部、デジタル音声出力端子に接続される出力部が設けられていてもよい。
【産業上の利用可能性】
【００６７】
本発明は、ＡＶアンプ等の音声処理装置に好適に採用され得る。
【符号の説明】
【００６８】
１  ＡＶアンプ（音声処理装置）
２  マイクロコンピュータ
２１  受付部
２２  検出部（第２検出部）
２３  制御部
５  アナログ音声入力端子
７  メイン出力部（第１出力部）
８  Ｚｏｎｅ２出力部（第２出力部）
９  Ｚｏｎｅ３出力部（第３出力部）
１０  アナログ音声出力端子
１１  セレクタ
１２  Ａ／Ｄコンバータ
１３  ＤＳＰ（第１検出部）
１５  メイン出力部用スイッチ（第１接続部）
１６  Ｚｏｎｅ２出力部用スイッチ（第２接続部）
１７  Ｚｏｎｅ３出力部用スイッチ（第３接続部）
【図１】
2015065502.tif 000003
【図２】
2015065502.tif 000004
【図３】
2015065502.tif 000005
【図４】
2015065502.tif 000006
【図５】
2015065502.tif 000007
【図６】
2015065502.tif 000008
【図７】
2015065502.tif 000009
【図８】
2015065502.tif 000010
【図９】
2015065502.tif 000011